(57)【要約】【課題】レーザに電圧を供給するための２つの端子間のショート解除を容易かつ確実に行う必要がある。【解決手段】駆動電圧を供給する駆動配線１ａ、１ｃと、アースレベルの電圧を維持するＧＮＤ配線１ｂ、１ｄとを備えたリード配線において、レーザを保護するためリード配線のフル無を一部除去したショート部における露出駆動配線２ａと露出ＧＮＤ配線２ｂとの間隙を、端子電極４側の方がレーザ素子側よりも広くする構成を備える。この構成で、ショート部３内に半田で短絡書をを施した後、当該半田を吸い取り短絡解除を行う際の処理時間が短縮できる。【選択図】図１Ａ
2007287774.tif 000002
【特許請求の範囲】
【請求項１】
駆動電圧を能動素子に出力する出力端子と、
前記駆動電圧を入力する入力端子と、
前記出力端子及び前記入力端子を接続し、前記入力端子から前記出力端子を介して前記能動素子を駆動する前記駆動電圧を供給する高圧配線、及び、前記高圧配線よりも電圧レベルが低い低電圧配線と、
前記高電圧配線及び前記低電圧配線それぞれを電気的に絶縁被覆すると共に、当該高電圧配線と当該低電圧配線とを面状に隣接配列させるフィルムと、
前記高電圧配線と前記低電圧配線とが面状に隣接配列する部分における前記フィルムの一部を除去することで、露出高電圧配線と露出低電圧配線とが現れる剥離部とを備え、
前記剥離部において、前記入力端子側の前記露出高電圧配線と前記露出低電圧配線との間隙、及び、前記出力端子側の前記露出高電圧配線と前記露出低電圧配線との間隙の何れか一方が他方よりも広い構成を備えるリード配線。
【発明の詳細な説明】
【技術分野】
【０００１】
本発明は、電気的に接続するリード配線に関し、特に光源等の能動素子を駆動する駆動電圧を供給するリード配線に関する。
【背景技術】
【０００２】
この技術分野としては、例えば光ピックアップがある。光ピックアップに使用する半導体レーザーは静電気により劣化しやすいため、半導体レーザー発光時以外の製造工程において、半導体レーザ素子（以下、ＬＤと称す）に電圧を供給する端子であるＬＤ端子とＬＤ端子からの電流をアースレベルに落とすＧＮＤ端子との間を通常短絡（以下、ショートと称す）して、静電気から半導体レーザーを保護する必要性があり、例えば特許文献１等で提案されている。
【０００３】
以下、特許文献１に開示の技術内容を簡略化して図面を参照しながら、従来の光ピックアップ用リード配線の構成例を説明する。図２Ａは従来の光ピックアップ用リード配線の構成を示す要部平面図である。同図において、５ａ及び５ｃはＬＤに駆動電圧を供給する駆動電圧配線で、５ｂ及び５ｄはアースレベルの基準配線、６ａはポリイミド等の絶縁性フィルムを剥離した剥離部７における露出駆動電圧配線、６ｂは剥離部７における露出基準電圧配線、８はＬＤを駆動する駆動電圧を駆動電圧配線５ｃ、６ａ及び５ａに供給する入力端子である。なお、入力端子８はＬＤ駆動電圧以外に例えば受光素子からの信号やＬＤを制御する制御電流等も入出力する。また、５ａと５ｃとはＬＤ出力端子側と入力端子８側を示す駆動電圧配線で、５ｂと５ｄともＬＤ出力端子側と入力端子８側を示す基準電圧配線である。
【０００４】
この剥離部７の露出駆動電圧配線６ａと露出基準電圧配線６ｂとを半田で接続することで、ＬＤを発光させる必要がない組立等工程において、ＬＤの静電破壊を抑制する。
【特許文献１】特開平０８−２８７４９８号公報
【発明の開示】
【発明が解決しようとする課題】
【０００５】
しかしながら図２Ａに示した従来の構成では、剥離部７の部分において、露出駆動電圧配線６ａと露出基準電圧配線６ｂとの間隙は平行、すなわち図２Ｂに示したように、入力端子側の間隙ｆ’と出力端子側の間隙ｅ’とはほぼ同一の構成であり、不図示のフィルムで被覆された剥離部７の外周部近傍でも、駆動電圧配線５ａと基準電圧配線５ｂとの間隙ｅと駆動電圧配線５ｃと基準電圧配線５ｄとの間隙ｆともほぼ同一である。
【０００６】
このような構成で、光ピックアップの組み立て工程におけるＬＤの発光特性等を検査する前に、剥離部７の露出駆動電圧配線６ａと露出基準電圧配線６ｂとをショートした半田を除去するが、この際に除去作業の時間が長く必要になると共に、露出駆動電圧配線６ａ及び／または露出基準電圧配線６ｂのパターンを破壊し易いという問題があった。
【０００７】
本発明は、このような従来の問題点に鑑み、ショート解除を容易かつ確実に行うことができるリード配線を提供することを目的とする。
【課題を解決するための手段】
【０００８】
本発明のリード配線は、駆動電圧を能動素子に出力する出力端子と、前記駆動電圧を入力する入力端子と、前記出力端子及び前記入力端子を接続し、前記入力端子から前記出力端子を介して前記能動素子を駆動する前記駆動電圧を供給する高圧配線、及び、前記高圧配線よりも電圧レベルが低い低電圧配線と、前記高電圧配線及び前記低電圧配線それぞれを電気的に絶縁被覆すると共に、当該高電圧配線と当該低電圧配線とを面状に隣接配列させるフィルムと、前記高電圧配線と前記低電圧配線とが面状に隣接配列する部分における前記フィルムの一部を除去することで、露出高電圧配線と露出低電圧配線とが現れる剥離部とを備え、前記剥離部において、前記入力端子側の前記露出高電圧配線と前記露出低電圧配線との間隙、及び、前記出力端子側の前記露出高電圧配線と前記露出低電圧配線との間隙の何れか一方が他方よりも広い構成を備える。
【発明の効果】
【０００９】
以上のように本発明のリード配線によれば、剥離部における露出高電圧配線と低電圧配線との間隙を短絡した短絡部分を容易に除去できるため、短絡解除の作業時間が大幅に短縮できると共に、高電圧配線及び／または点電圧配線の配線パターンを損なう従来の課題も解消することができる。
【発明を実施するための最良の形態】
【００１０】
以下、本発明のリード配線の一実施形態について、光ピックアップに適用することを前提とした例を挙げて説明する。図１Ａは本実施形態のリード配線の平面図である。同図において、ＬＤ（能動素子）を実装するフレキシブルプリント基板の端子（入力端子）部分であり、１ａ及び１ｃはそれぞれＬＤに駆動電圧を供給するＬＤ端子（出力端子）に接続する駆動配線（高電圧配線）、１ｂ及び１ｄはそれぞれＬＤを介して駆動電圧をアースレベルにするＧＮＤ配線（低電圧配線）、２ａは不図示の高分子フィルムを除去したショート部（剥離部）３において駆動配線１ａ及び１ｃを露出した露出駆動配線（露出高電圧配線）、２ｂは同じくショート部３においてＧＮＤ配線１ｂ及び１ｄを露出した露出ＧＮＤ配線（露出低電圧配線）、４はＬＤの駆動電圧を駆動配線１ｃ及び１ａに供給する端子電極（入力端子）である。なお、端子電極４には、ＬＤ駆動電圧の供給の他、ＧＮＤ配線１ｂ及び１ｄの電圧レベルをアースレベルにするＧＮＤ端子や、ＬＤの発光を制御する制御信号の入出力等も担う。
【００１１】
同図に示したように、本実施形態のリード配線は、ショート部３における露出駆動配線２ａと露出ＧＮＤ配線２ｂとの間隙を、端子電極４側（１ｃと１ｄ）の方がＬＤ側（１ａと１ｂ）よりも広く構成されている。すなわち図１Ｂに示すように、端子電極４側の間隙ｈ’とＬＤ側の間隙ｇ’との関係がｈ’＞ｇ’としている。ＬＤを静電気から保護するためショート部３で短絡処理を半田付で行い、ＬＤ発光テストに先立ち当該ショート部３の短絡処理を解除する際に、溶融半田を簡単に吸い取ることができ、短絡処理時間が大場に短縮することができる。これは、溶融半田が表面張力により不均一な間隙に沿って狭い方に集中するため、溶融半田の吸い取り効率が高まることに起因すると想定される。また、短絡解除作業時間の短縮により、露出駆動配線２ａ、駆動配線１ａ及び１ｃや、露出ＧＮＤ配線２ｂ、ＧＮＤ配線１ｂ及び１ｄの配線パターンが寝付き快適なダメージを受けて破壊されることも抑制することができる。
【００１２】
なお、同図ではｈ’＞ｇ’としたが、逆にｈ’＜ｇ’で合ってもよい。また、不図示のフィルムで被覆された駆動配線とＧＮＤ配線との間隙とショート部３における間隙との関係をｈ＝ｈ’及びｇ＝ｇ’としたが、ｇ＝ｈ＞ｇ’＝ｈ’やｇ＝ｈ＜ｇ’＝ｈ’之関係であってもよい。さらに、ショート部３内での間隙に括れを有する構成を例示したが、括れは必ずしも必要ではなく、例えばショート部３と被覆部（１ａ、１ｂ、１ｃ、１ｄ）とにおける端子電極４側界面の間隙（ｈ’近傍）とＬＤ側界面の間隙（ｇ’近傍）とがなだらかに変化する構成であってもよく、端子電極４側の被覆部の間隙（例えばｈ）からＬＤ側の被覆部の間隙（例えばｇ）までなだらかに変化する構成であってもよい。また、同図ではショート部３内部の間隙を線対称形状で説明したが、対称とする必然性もない。すなわち、一方が直線で他方が斜辺であってもよく、さらには間隙が変化する箇所が例えば菱形形状等のショート部３の内部に存在する場合であってもよい。
【００１３】
また、本実施形態では露出駆動配線２ａと露出ＧＮＤ配線２ｂとを、フィルム被覆部の駆動配線１ａ、１ｃやＧＮＤ配線１ｂ、１ｄと同じ導電材料（例えば銅）であるかのように説明したが、露出駆動配線２ａ及び露出ＧＮＤ配線２ｂに例えば半田メッキ処理等を施すいわゆるランドとすると、短絡処理及び短絡解除処理がより高効率にできる。
【産業上の利用可能性】
【００１４】
本発明のリード配線は、円盤状記録媒体に光学的に情報を記録又は再生する光ディスク装置に搭載される光ピックアップの他、レーザ光源を適用する例えばレーザポインタやレーザメス等に適用することもできる。
【図面の簡単な説明】
【００１５】
【図１Ａ】本発明のリード配線における一実施形態の平面図
【図１Ｂ】同実施形態の要部拡大平面図
【図２Ａ】従来のリード配線の一例における平面図
【図２Ｂ】同例の要部拡大平面図
【符号の説明】
【００１６】
１ａ、１ｃ  駆動配線
１ｂ、１ｄ  ＧＮＤ配線
２ａ  露出駆動配線
２ｂ  露出ＧＮＤ配線
３  ショート部
４  端子電極
【図１Ａ】
2007287774.tif 000003
【図１Ｂ】
2007287774.tif 000004
【図２Ａ】
2007287774.tif 000005
【図２Ｂ】
2007287774.tif 000006